(57)【要約】【課題】本発明は、放送信号の受信エラー時に効率よくデータを修復することが可能なデジタル放送記録差異性装置を提供することを目的とする。【解決手段】本発明によるデジタル放送記録再生装置は、システム制御部４が復調部１３にて受信エラー信号を付加されて蓄積装置３２に記録できなかったトランスポートストリームデータまたはパーシャルトランスポートストリームデータ内のパケットに対応するデータをコンテンツサーバからダウンロードし、ダウンロードしたデータによってトランスポートストリームデータまたはパーシャルトランスポートストリームデータの修復可否を決定する機能を有することを特徴とする。【選択図】図１
2009246608.tif 000002
【特許請求の範囲】
【請求項１】
アンテナから受信したデジタル放送信号を復調してトランスポートストリームデータを生成した後に復号し、復号できなかったときは前記トランスポートストリームデータのパケット単位で受信エラー信号を付加する復調部と、
前記トランスポートストリームデータ内の映像データと音声データとを分離したり、あるいは前記トランスポートストリームデータから複数のコンテンツを分離してパーシャルトランスポートストリームデータを生成し、当該パーシャルトランスポートストリームデータ内の映像データと音声データとを分離する分離部と、
前記映像データを復号する映像復号部と、
前記音声データを復号する音声復号部と、
を有するデジタル放送受信部と、
前記分離部から出力された前記トランスポートストリームデータまたは前記パーシャルトランスポートストリームデータを蓄積し、あるいは蓄積された前記トランスポートストリームデータまたは前記パーシャルトランスポートストリームデータを前記分離部に送出する蓄積装置と、
前記蓄積装置の記録フォーマットと、前記トランスポートストリームデータまたは前記パーシャルトランスポートストリームデータのデータフォーマットとの相互変換を行うデータ変換部と、
を有する蓄積部と、
ネットワーク回線に接続するために設けられたネットワーク端子と、
前記ネットワーク回線に接続されたコンテンツサーバとの間で送受信されたデータの変復調を行う変復調部と、
を有する通信部と、
前記デジタル放送受信部、前記蓄積部、および前記通信部の制御を行うシステム制御部と、
を備え、
前記システム制御部は、前記復調部にて受信エラー信号を付加されて前記蓄積装置に記録できなかった前記トランスポートストリームデータまたは前記パーシャルトランスポートストリームデータ内のパケットに対応するデータを前記コンテンツサーバからダウンロードし、前記ダウンロードしたデータによって前記トランスポートストリームデータまたは前記パーシャルトランスポートストリームデータの修復可否を決定する機能を有することを特徴とする、デジタル放送記録再生装置。
【請求項２】
前記データ変換部は、前記トランスポートストリームデータまたは前記パーシャルトランスポートストリームデータを前記蓄積装置に記録する際には、記録の可否を前記受信エラー信号に基づいて前記トランスポートストリームデータまたは前記パーシャルトランスポートストリームデータのパケット単位で判断してパケットの時間情報を併せて記録し、前記蓄積装置に記録した前記トランスポートストリームデータまたは前記パーシャルトランスポートストリームデータを再生する際には、前記パケットの時間情報に従って再生することを特徴とする、請求項１に記載のデジタル放送記録再生装置。
【請求項３】
前記システム制御部は、前記トランスポートストリームデータまたは前記パーシャルトランスポートストリームデータが前記蓄積装置に連続的に記録されなかった場合において、記録を再開した時点のデータを、記録を中止した時点のデータとは前記蓄積装置内の異なるクラスタに記録させることを特徴とする、請求項１に記載のデジタル放送記録再生装置。
【請求項４】
前記システム制御部は、前記蓄積装置に記録できなかった前記トランスポートストリームデータまたは前記パーシャルトランスポートストリームデータ内のパケットに対応するデータを前記コンテンツサーバからダウンロードする際に、前記蓄積装置に記録した前記パケットの前後の連続性情報から前記ダウンロードするデータを特定することを特徴とする、請求項１に記載のデジタル放送記録再生装置。
【請求項５】
前記コンテンツサーバからダウンロードした一連のデータを前記蓄積装置に記録する際に、前記一連のデータを正常に記録した前記トランスポートストリームデータまたは前記パーシャルトランスポートストリームデータとは前記蓄積装置の異なるクラスタに記録し、前記一連のデータが前記トランスポートストリームデータまたは前記パーシャルトランスポートストリームデータの所定の位置に配列されるようにクラスタ管理情報を修正することを特徴とする、請求項１または請求項３に記載のデジタル放送記録再生装置。
【請求項６】
前記システム制御部は、受信エラー発生時において、受信エラーの旨を警告表示または警告音によってユーザに通知し、前記ユーザからの修復可否の判断結果に従って受信エラーしたデータの修復可否を決定することを特徴とする、請求項１ないし請求項５のいずれかに記載のデジタル放送記録再生装置。
【請求項７】
前記システム制御部は、ユーザから予め入力された記録予約リストに付随されている修復可否設定に従って、受信エラーしたデータの修復可否を決定することを特徴とする、請求項１ないし請求項５のいずれかに記載のデジタル放送記録再生装置。
【請求項８】
前記システム制御部は、ユーザから予め設定された大まかな番組のジャンルに対する修復可否の設定に従って、受信エラーしたデータの修復可否を決定することを特徴とする、請求項１ないし請求項５のいずれかに記載のデジタル放送記録再生装置。
【発明の詳細な説明】
【技術分野】
【０００１】
本発明は、受信したデジタル放送信号を記録再生するデジタル放送記録再生装置に関する。
【背景技術】
【０００２】
従来の地上波デジタル放送受信装置には、アンテナで受信したデジタル放送波をフロントエンドブロックでトランスポートストリーム（Ｔｒａｎｓｐｏｒｔ  Ｓｔｒｅａｍ：ＴＳ）データに復調して復号し、フロントエンドブロックから出力されたＴＳデータをＣＡ（Ｃｏｎｄｉｔｉｏｎａｌ  Ａｃｃｅｓｓ）デスクランブルしてからＴＳ−ＤＥＭＵＸ（ＴＳデマルチプレックス）した後、映像信号および音声信号をＭＰＥＧデコーダによって復号して出力するものがある（例えば、非特許文献１参照）。
【０００３】
しかし、このような装置では、移動することによって送信局からの放送波が受信困難なエリアに入ると、映像や音声の品位が著しく低下したり、映像や音声が一時的に視聴できない状態に陥る場合がある。この問題の対策として、放送信号を録画再生する機能を備え、録画された放送中に録画状態が悪いと判断された箇所の再生を早めるか、または除去することができる車載用ＴＶ録画再生装置がある（例えば、特許文献１参照）。
【０００４】
また、放送波が受信できなくなったことによって欠落データが発生した場合には、サーバと通信を確立して受信できなかった欠落データを装置内蔵の蓄積部にダウンロードし、受信できなかった部分をカバーすることが可能な装置がある（例えば、特許文献２、３参照）。
【０００５】
【特許文献１】特開２００３−２４４５９１号公報（第４〜７頁、第１図）
【特許文献２】特開２００４−３０４４９８号公報（第３〜４頁、第１図）
【特許文献３】特開２００５−２９４９２３号公報（第５〜９頁、第１図）
【非特許文献１】社団法人電波産業会、ＡＲＩＢ  ＳＴＤ−Ｂ２１（第４頁、第２−２図）
【発明の開示】
【発明が解決しようとする課題】
【０００６】
従来の装置では、受信困難な状態で放送信号を受信したために、フロントエンドブロックで復調したＴＳデータの品質が悪くて復号が不可能な場合において、全てのデータを蓄積装置に記録し、品質が悪いデータ部分は再生時に破棄するか、あるいは通信状態が良好な別回線を利用して蓄積装置への記録を再開している。従って、復号できなかった不必要なデータを蓄積装置に記録したり、わざわざダウンロードしてまで視聴する必要がないとユーザが判断したコンテンツの受信エラーデータも通信回線を利用して取得するため、これらのデータをダウンロードして取得するための時間、費用、コンテンツを蓄積するための記録媒体の容量などが膨大となってしまう。
【０００７】
本発明は、これらの問題を解決するためになされたもので、放送信号の受信エラー時に効率よくデータを修復することが可能なデジタル放送記録再生装置を提供することを目的とする。
【課題を解決するための手段】
【０００８】
上記の課題を解決するために、本発明によるデジタル放送記録再生装置は、アンテナから受信したデジタル放送信号を復調してトランスポートストリームデータを生成した後に復号し、復号できなかったときはトランスポートストリームデータのパケット単位で受信エラー信号を付加する復調部と、トランスポートストリームデータ内の映像データと音声データとを分離したり、あるいはトランスポートストリームデータから複数のコンテンツを分離してパーシャルトランスポートストリームデータを生成し、当該パーシャルトランスポートストリームデータ内の映像データと音声データとを分離する分離部と、映像データを復号する映像復号部と、音声データを復号する音声復号部とを有するデジタル放送受信部と、分離部から出力されたトランスポートストリームデータまたはパーシャルトランスポートストリームデータを蓄積し、あるいは蓄積されたトランスポートストリームデータまたはパーシャルトランスポートストリームデータを分離部に送出する蓄積装置と、蓄積装置の記録フォーマットと、トランスポートストリームデータまたはパーシャルトランスポートストリームデータのデータフォーマットとの相互変換を行うデータ変換部とを有する蓄積部と、ネットワーク回線に接続するために設けられたネットワーク端子と、ネットワーク回線に接続されたコンテンツサーバとの間で送受信されたデータの変復調を行う変復調部とを有する通信部と、デジタル放送受信部、蓄積部、および通信部の制御を行うシステム制御部とを備え、システム制御部は、復調部にて受信エラー信号を付加されて蓄積装置に記録できなかったトランスポートストリームデータまたはパーシャルトランスポートストリームデータ内のパケットに対応するデータをコンテンツサーバからダウンロードし、ダウンロードしたデータによってトランスポートストリームデータまたはパーシャルトランスポートストリームデータの修復可否を決定する機能を有することを特徴とする。
【発明の効果】
【０００９】
本発明によると、システム制御部は復調部にて受信エラー信号を付加されて蓄積装置に記録できなかったトランスポートストリームデータまたはパーシャルトランスポートストリームデータ内のパケットに対応するデータをコンテンツサーバからダウンロードし、ダウンロードしたデータによってトランスポートストリームデータまたはパーシャルトランスポートストリームデータの修復可否を決定するため、放送信号の受信エラー時に効率よくデータを修復することが可能となる。
【発明を実施するための最良の形態】
【００１０】
本発明の実施形態について、図面を用いて以下に説明する。
【００１１】
〈実施形態１〉
図１は、本発明の実施形態によるデジタル放送記録再生装置の構成を示すブロック図である。図１に示すように、デジタル放送記録再生装置は、デジタル放送波を受信して復調・復号するデジタル放送受信部１と、コンテンツサーバとの通信を行う通信部２と、受信したデジタル放送の復号データを記録・再生する蓄積部３と、デジタル放送受信部１、通信部２、および蓄積部３の各制御を行うシステム制御部４とからなる。デジタル放送受信部１には、復号された画像信号に基づく画像を表示するディスプレイなどの表示装置５と、復号された音声信号に基づく音声を出力するスピーカ等の音声出力装置６とが接続されている。なお、本実施形態１によるデジタル放送記録再生装置が、放送の記録再生機能を有するテレビ（Ｔｅｌｅｖｉｓｉｏｎ：ＴＶ）システムである場合には、表示装置５および音声出力装置６は、デジタル放送記録再生装置の一部となる。
【００１２】
デジタル放送受信部１は、アンテナ入力端子１１から受信したデジタル放送信号を復調してトランスポートストリームデータ（以下、ＴＳデータとする）を生成した後に復号し、復号できなかったときはＴＳデータのパケット単位で受信エラー信号（後述のＲＳ復号エラー信号）を付加する復調部１２と、ＴＳデータ内の映像データと音声データとを分離したり、あるいはＴＳデータから複数のコンテンツを分離してパーシャルトランスポートストリームデータ（以下、パーシャルＴＳデータとする）を生成し、当該パーシャルＴＳ内の映像データと音声データとを分離する分離部１３と、映像データを復号する映像復号部１４と、音声データを復号する音声復号部１５とを有する。分離部１３では、ＴＳデータを映像復号部１４および音声復号部１５に出力する放送視聴機能と、ＴＳデータを蓄積部３に出力する録画機能と、蓄積部３から送出されたデータを映像復号部１４および音声復号部１５に出力する再生機能とを有し、システム制御部４からの指示によってＴＳデータの経路をそれぞれ適応的に切り換える。
【００１３】
通信部２は、ネットワーク回線に接続するために設けられたネットワーク端子２１と、ネットワーク回線に接続されたコンテンツサーバとの間で送受信されたデータの変復調を行う変復調部２２とを有する。
【００１４】
蓄積部３は、分離部１３から出力されたＴＳデータまたはパーシャルＴＳデータを蓄積し、あるいは蓄積されたＴＳデータまたはパーシャルＴＳデータを分離部１３に送出する蓄積装置３２と、蓄積装置３２の記録フォーマットと、ＴＳデータまたはパーシャルＴＳデータのデータフォーマットとの相互変換を行うデータ変換部３１とを有する。なお、蓄積装置３２としては、例えば半導体記憶装置、ハードディスク装置、光ディスク装置などがある。データ変換部３１は、デジタル放送受信部１から出力されたＴＳデータを記録するときには、ＴＳデータをＴＳパケット単位で加工し、加工したＴＳデータを蓄積装置３２に出力するときにＴＳパケットの時間情報もともに出力する機能を持ち、再生するときには蓄積装置３２から読み出されたＴＳデータと時間情報とからＴＳデータ記録時のＴＳレートを再現しながらデータを再生する機能を持つ。
【００１５】
なお、本実施形態１ではアンテナ入力端子１１を用いたが、アンテナそのものを用いてもよい。また、本実施形態１ではネットワーク端子２１を用いたが、データ送受信用のアンテナや送受光部などを用いてもよい。さらに、本実施形態１では蓄積装置３２をデジタル放送記録再生装置の一部としたが、デジタル放送記録再生装置に接続された外部機器であってもよい。
【００１６】
次に、本実施形態１によるデジタル放送記録再生装置の動作について説明する。
【００１７】
本実施形態１のデジタル放送記録再生装置の動作は、システム制御部４によって制御されている。デジタル放送受信部１のアンテナ入力端子１１では、デジタル放送やデジタル音声放送の放送波を受信して復調部１２に出力している。アンテナ入力端子１１から入力される復調部１２では、受信信号を放送規格によって定められた方法で復調し、復調処理の最後にリードソロモン（Ｒｅｅｄ−Ｓｏｌｏｍｏｎ：ＲＳ）復号を行い、誤り訂正が全て行われた１８８バイト単位のＴＳパケット、すなわち、ＴＳデータを構成する固定長パケットを分離部１３に出力する。分離部１３は、復調部１２から出力されたＴＳデータのうちの任意の番組だけを選択、すなわち、ＴＳデータ中の一部のＴＳパケットだけを選択してパーシャルＴＳデータとし、映像信号と音声信号とに分離してから映像復号部１４および音声復号部１５に出力する。このとき、ＴＳデータに含まれる番組が１つである場合には、当該ＴＳデータを映像信号と音声信号とに分離してから映像復号部１４および音声復号部１５に出力する。分離部１３から出力されたＴＳデータまたはパーシャルＴＳデータの映像信号は映像復号部１４にて復号された後に表示装置５に出力され、音声信号は音声復号部１５にて復号された後に音声出力装置６に出力される。
【００１８】
復調部１２で行われるＲＳ復号は、１８８バイトのＴＳパケットに対して１６バイトのパリティデータを付加した２０４バイトのパケットデータ単位で行う誤り訂正処理である。ＲＳ復号では、パケットデータ単位の２０４バイトの内の８バイトまでを完全に誤り訂正することができる。誤り訂正後、２０４バイトのデータ中の１８８バイトのＴＳパケットを出力する。ＲＳ復号によって１つのＴＳパケット中に８バイト以上の誤りが生じて誤り訂正ができなかった場合は、ＴＳパケット単位でＲＳ復号エラー信号Ｓｅを出力する。
【００１９】
現行のデジタル放送では、１つのチャンネルに複数の番組が多重されている場合がある。従って、蓄積部３の蓄積装置３２に記録されるデータには、分離部１３にてデスクランブルされたＴＳデータそのものである場合と、デスクランブル後にユーザによって任意の数だけ選択された番組のデータであるパーシャルＴＳデータの場合とがある。復調部１２から出力されるＴＳデータのデータレートは、例えば現在の地上波デジタル放送の場合では最大約２４Ｍｂｐｓである。地上波デジタル放送がＴＳデータ中に３つの番組を重畳している場合には、その内の１つの番組を分離部１３にて取り出してパーシャルＴＳデータとし、そのパーシャルＴＳデータのデータレートは約８Ｍｂｐｓ（＝２４Ｍｂｐｓ／３番組）となる。このように、蓄積装置３２に記録するデータによって記録容量の消費量が異なるため、システム制御部４はＴＳデータとパーシャルＴＳデータとのどちらを蓄積装置３２に記録するかの切り換えを行う。
【００２０】
移動しながらデジタル放送を受信していると、受信したり復調が困難なエリアでは多くのＲＳ復号エラーが連続的または不連続に発生する。このような場合にＲＳ復号エラーが含まれるＴＳデータを映像復号部１４および音声復号部１５にて映像データおよび音声データに復号すると通常は正常に復号されず、正常な映像データおよび音声データを表示装置５および音声出力装置６に出力することができない。従って、移動しながら受信すると受信状態が変化するため、ＲＳ復号したＴＳデータを全て記録したとしても、ＲＳ復号エラー信号Ｓｅを含むＴＳパケットは正常な映像・音声データではないので不必要なデータとなってしまう。このように、ＲＳ復号エラーを含むＴＳパケットを蓄積装置３２に記録する動作は必要性が低いため、本実施形態ではＲＳ復号エラーを含むＴＳパケットを蓄積装置３２には記録しないようにしている。蓄積装置３２へのＴＳパケットの記録の選別は、データ変換部３１にて行われる。
【００２１】
蓄積装置３２に記録されているＴＳデータまたはパーシャルＴＳデータを再生する場合は、再生するＴＳデータまたはパーシャルＴＳデータをデータ変換部３１に入力する。データ変換部３１では、データとともに記録された時間情報に基づいて、再生するＴＳデータまたはパーシャルＴＳデータを送出するタイミングを制御して分離部１３に出力する。分離部１３に入力されたＴＳデータまたはパーシャルＴＳデータは、映像復号部１４および音声復号部１５にて映像データおよび音声データに復号された後に、表示装置５および音声出力装置６に出力される。すなわち、データ変換部３１は、ＴＳデータまたはパーシャルＴＳデータを蓄積装置３２に記録する際には、記録の可否を受信エラー信号に基づいてＴＳデータまたはパーシャルＴＳデータのパケット単位で判断してパケットの時間情報を併せて記録し、蓄積装置３２に記録したＴＳデータまたはパーシャルＴＳデータを再生する際には、パケットの時間情報に従って再生する。
【００２２】
ＲＳ復号エラーによって一部のＴＳデータまたはパーシャルＴＳデータが記録されなかったコンテンツを再生する場合において、記録されなかった部分に対応する映像や音声にはコンシール処理を行ない、ＲＳ復号エラーに起因する映像や音声のひずみをユーザに認識させないようにする。例えば、映像であれば、正常に復号できた映像の最新画像の全部または一部をエラーが発生した領域に挿入する。音声であれば、エラーが発生している間はミュートをかけるなどする。
【００２３】
図２は、本発明の実施形態１による蓄積部３における記録再生時のタイミングチャートである。図２に示すように、本実施形態１によるデジタル放送記録再生装置では、ＴＳデータをＴＳパケット単位でデータ加工して蓄積部３に記録している。
【００２４】
図２（ａ）は、受信したＴＳデータがＴＳパケットＴＳ１〜ＴＳ１０を含み、各ＴＳパケットの先頭の入力時間をＴ１〜Ｔ１０としている。ＲＳ復号エラー信号のハイレベルの期間は復号エラー信号Ｓｅが生成されたことを示し、図２（ａ）ではＴＳ３、ＴＳ４、ＴＳ７に対応している。
【００２５】
図２（ｂ）は、データ変換部３１がＴＳデータを蓄積装置３２に記録する時に、各ＴＳパケットの先頭の入力時間Ｔ１〜Ｔ１０をカウントし、復号エラー信号Ｓｅを含まないＴＳパケットを記録している。図２（ｂ）では、ＴＳパケットであるＴＳ１、ＴＳ２、ＴＳ５、ＴＳ６、ＴＳ８〜ＴＳ１０と、ＴＳパケットの先頭の入力時間であるＴ１、Ｔ２、Ｔ５、Ｔ６、Ｔ８〜Ｔ１０を蓄積装置３２に記録している。このように、データ変換部３１が復号エラー信号Ｓｅを含むＴＳパケットを蓄積装置３２に記録させないように制御することによって、蓄積装置３２への記録容量を少なくすることができる。なお、本実施形態１では、ＴＳパケットであるＴＳ３、ＴＳ４、ＴＳ７と時間情報であるＴ３、Ｔ４、Ｔ７を記録しない例について説明したが、このような例に限らず、復号エラー信号Ｓｅが含まれるＴＳパケットを蓄積装置３２に記録しないようにすることはいうまでもない。
【００２６】
図２（ｃ）において、再生時には、データ変換部３１が蓄積装置３２に記録したＴＳパケットの時間情報に基づいてＴＳパケットを出力するように、蓄積装置３２の出力タイミングを制御する。例えば、図３（ｃ）において、データ変換部３１は時間情報Ｔ１を最初に読み込んだ後に時刻Ｔ１にてＴＳ１を出力させ、時間情報Ｔ２を読み込んだ後に時刻Ｔ２にてＴＳ２を出力させる。データ変換部３１が次に読み込んだ時間情報がＴ５である場合は、ＴＳ２からＴＳパケットが２つ分出力された時間の経過後、すなわち時刻Ｔ５にてＴＳ５を出力させる。このように、蓄積装置３２にはＴＳ３およびＴＳ４が記録されていないが、再生時においてＴＳ５は時間軸上の記録時と同一の位置（ＴＳ３およびＴＳ４の削除前と同一の位置）に存在することになり、データレートと再生レートとを同じにすることが可能となる。
【００２７】
再生するＴＳデータ間の表示されないＴＳパケット部分（ＴＳ３、ＴＳ４、ＴＳ７）は、表示装置５および音声出力装置６にて何も出力されないため、これらのＴＳパケットの前後のＴＳパケットであるＴＳ２とＴＳ５、あるいはＴＳ６とＴＳ８との間の期間では、ＴＳデータの連続性が失われることになる。映像復号部１４では、ＴＳデータの連続性が失われると、連続性が失われた部分の直後のＴＳデータから再デコード処理を行なうが、再デコード処理によって映像を出力可能な状態になるまでの間、正常であった最後の映像画面、すなわち、ＴＳ２かそれ以前の画面を静止画として表示装置５に表示する。なお、図２では、ＴＳパケットについて説明したが、パーシャルＴＳパケットについても同様の動作を行う。
【００２８】
本実施形態によるデジタル放送記録再生装置では、蓄積装置３２に記録する時に復調部１２にて復号エラーを検出した場合にユーザに記録エラーを通知し、ユーザからの指示に基づいて蓄積装置３２に記録されなかったＴＳパケットまたはパーシャルＴＳパケットをコンテンツサーバからダウンロードして蓄積装置３２に記録されたデータの修復を行うことを特徴としている。
【００２９】
図３は、本発明の実施形態１によるデジタル放送記録再生装置の動作を示す図である。図３（ａ）では、ユーザがデジタル放送記録再生装置、または付属のリモコンの録画ボタンを押下すると、システム制御部４はデジタル放送の記録を開始するようにデジタル放送受信部１および蓄積部３に対して指示をする。
【００３０】
図３（ｂ）において、記録の開始後にデジタル放送受信部１の復調部１２がＲＳ復号エラーを検出すると、蓄積部３に対してＲＳ復号エラー信号Ｓｅを送信し、システム制御部４にエラー通知を行う。このときシステム制御部４は、例えば表示部５に文字を表示させたり、または音声出力装置６に警告音を発生させるなどして、ユーザに記録エラーが生じたことを通知する。つまり、システム制御部４は、受信エラー発生時において、受信エラーの旨を警告表示または警告音によってユーザに通知し、ユーザからの修復可否の判断結果に従って受信エラーしたデータの修復可否を決定する。
【００３１】
図３（ｃ）において、記録エラー通知を受けたユーザは、記録されている番組の内容を勘案して当該コンテンツの修復を行う必要があるのか否かを判断し、デジタル放送記録再生装置、または付属のリモコンのボタンなどによってシステム制御部４に指示する。例えば、ドラマや映画などのジャンルでは、ＲＳ復号エラーによって蓄積装置３２に記録できないことによるストーリーの一部の抜けは、一般的にユーザに不快感を与えるため、ユーザから修復の指示が出されることが期待される。一方、ニュース番組のように時間とともに陳腐化する番組や、ユーザ自身があまり興味を示さなかった番組については、ユーザが修復しなくてもよいという判断をする可能性が高くなる。
【００３２】
図３（ｄ）において、ユーザからの修復指示を受けたシステム制御部４は、予め設定されたコンテンツサーバを特定するアドレス情報とデータ要求コマンドを通信部２に送信する。なお、本実施形態におけるコンテンツサーバは、例えば放送局が運営する有料コンテンツサイトのこととし、ユーザは予め当該コンテンツサイトに利用登録済みであって所定の認証情報を有することとする。また、一定期間ごとにコンテンツデータのダウンロード量に応じてユーザに課金されることとする。
【００３３】
通信部２からコンテンツサーバに送信されるデータは、デジタル放送記録再生装置とコンテンツサーバとを結ぶ回線ネットワークの形態、仕様に適合した変調方式を有する変復調部２２と、回線ネットワークの物理的形状に適合したネットワーク端子２１とを介して送信される。そして、コンテンツサーバとシステム制御部４との間で認証、コンテンツＩＤの確認、修復するためにダウンロードするパケットＩＤの確認、課金情報などの確認が行われた後に、データのダウンロードを開始する。
【００３４】
図３（ｅ）に示すように、コンテンツサーバからダウンロードしたデータは、通信部２に入力され、システム制御部４を経由して蓄積部３に記録される。このとき、ダウンロードされたデータは、修復中の放送データとは異なる蓄積装置３２のクラスタに記録される。すなわち、システム制御部４はＴＳデータまたはパーシャルＴＳデータが蓄積装置３２に連続的に記録されなかった場合において、記録を再開した時点のデータを、記録を中止した時点のデータとは蓄積装置３２内の異なるクラスタに記録させる。
【００３５】
図３（ｆ）では、コンテンツサーバからの所定のデータ量のダウンロードが完了すると、システム制御部４は通信部２に対してサーバ通信完了を通知してコネクションを閉じる。
【００３６】
図３（ｇ）において、システム制御部４は、蓄積部３のＴＳデータが記録できなかった区間に対して、ダウンロードしたパケットデータの内の記録されなかった区間と同じパケットＩＤを持つＴＳパケットを挿入する。パケットＩＤは、例えばパケットごとに１つづつインクリメントされるパケット番号（ｃｏｎｔｉｎｕｉｔｙ＿ｃｏｕｎｔｅｒ）などを利用して、前後に存在するパケットＩＤから推定される。すなわち、システム制御部４は、蓄積装置３２に記録できなかったＴＳデータまたはパーシャルＴＳデータ内のパケットに対応するデータをコンテンツサーバからダウンロードする際に、蓄積装置３２に記録したパケットの前後の連続性情報からダウンロードするデータを特定する。
【００３７】
ＲＳ復号エラーによって生じた、蓄積装置３２に記録したＴＳデータの不連続期間の前後のデータ（図２のＴＳ２の最後のデータとＴＳ５の最初のデータ）を異なるクラスタに記録しておくことによって、ＴＳ２の最後を示すクラスタの次のジャンプ先をダウンロードしたデータの先頭に、ダウンロードしたデータの最後から次のジャンプ先をＴＳ５の先頭にするように、蓄積装置３２に記録したデータおよび管理情報を書き換える。すなわち、コンテンツサーバからダウンロードした一連のデータを蓄積装置３２に記録する際に、一連のデータを正常に記録したＴＳデータまたはパーシャルＴＳデータとは蓄積装置３２の異なるクラスタに記録し、一連のデータがＴＳデータまたはパーシャルＴＳデータの所定の位置に配列されるようにクラスタ管理情報を修正する。このようにすることによって、ダウンロードしたデータを蓄積装置３２で記録しているＴＳデータに挿入するときに、データを書き換える量を最小限にすることができる。
【００３８】
なお、図３（ｄ）〜（ｇ）に示す一連の修復動作は、システムの演算装置のリソースの空き時間を用いて、通常の記録動作とは非同期に行われる。また、図３（ｃ）において、ユーザがデータの修復を希望しない場合は、修復拒否の指示をシステム制御部４に送信して終了する。
【００３９】
以上のことから、復調部１２にてＲＳ復号エラー信号を付加されＴＳデータまたはパーシャルＴＳデータのＴＳパケットは再生が不可能であるため蓄積装置３２に蓄積せず、ＲＳ復号エラーではない正常なＴＳパケットは時間情報を付加して蓄積装置３２に記録される。また、再生時には蓄積装置３２に記録された時間情報に従って記録時のデータレートを再現し、正常な信号に復帰するまでは受信エラーした部分に静止画を表示するようにしている。
【００４０】
また、復調部１２でＲＳ復号エラーとなったときは、ＲＳ復号エラーとなったＴＳパケットに対応する正常なＴＳパケットを、ユーザの指示によってコンテンツサーバからダウンロードすることが可能である。このとき、コンテンツサーバからダウンロードするＴＳパケットはデータの修復に必要最小限のデータであり、ＲＳ復号エラーとなる前後のＴＳデータを蓄積装置３２の異なるクラスタに記録するため、ダウンロードしたＴＳパケットを蓄積装置３２で記録しているＴＳデータに挿入するときに、記録媒体でのデータの書き換え量を最小限にしている。
【００４１】
このように、本実施形態１によるデジタル放送記録再生装置は、蓄積装置３２での無駄な記憶容量の使用を低減して有効に記憶容量を利用することができる。また、コンテンツサーバからのＴＳパケットのダウンロード時に蓄積装置３２でのデータの書き換え量を最小限に抑えることによって、蓄積装置３２の平均寿命を延ばすことが可能となる。さらに、デジタル放送記録再生装置の消費電力の低減と故障発生率の低減の効果も期待できる。
【００４２】
加えて、ユーザが番組の内容によって受信した番組データの修復可否を判断してからデータを蓄積装置３２に確実に記録するため、受信エラーによって番組の視聴ができないのではないかというユーザの不安や不満を解消することができる。また、修復可否の選択が可能であるため、ニュースやスポーツなど陳腐化が早い情報やユーザの興味が薄い情報などのコンテンツは蓄積装置３２に記録しないようにすることができ、コンテンツサーバからのダウンロードにかかる課金量を抑制することが可能である。さらに、ネットワーク回線のトラフィックを低減し、ネットワーク回線上の各サーバ、中継装置、端末などにおける負荷および消費電力を低減させることが可能である。
【００４３】
〈実施形態２〉
本発明の実施形態２では、ユーザが予めどの番組コンテンツについて修復するかを設定し、設定内容に従って番組コンテンツのデータを修復することを特徴としている。構成については実施形態１と同様であるため、ここでは説明を省略する。
【００４４】
図４は、本発明の実施形態２によるデジタル放送記録再生装置の動作を示す図である。図４（ｈ）において、ユーザは予めどの番組コンテンツについて修復するかを設定しておき、設定内容をシステム制御部４に通知する。このことは、例えば電子番組ガイド（Ｅｌｅｃｔｒｏｎｉｃ  Ｐｒｏｇｒａｍ  Ｇｕｉｄｅ：ＥＰＧ）内の番組ジャンルによって自動的に判断される。すなわち、映画やドラマなどといったストーリーを楽しむ番組や、ユーザが比較的長期間保存するような番組については修復機能をオンに設定し、ニュースやスポーツ番組などのリアルタイム性が高くて短期間で更新されやすい番組については修復期間をオフに設定する。なお、蓄積装置３２に記録する番組コンテンツを予約するときに、番組コンテンツごとに修復するか否かを設定するようにしてもよい。
【００４５】
図４（ｉ）では、ユーザによる修復可否の設定を、システム制御部４がデジタル放送受信部１および蓄積部３に指示することによって、実施形態１と同様の記録動作を行う。
【００４６】
図４（ｊ）において、記録開始後にデジタル放送受信部１の復調部１２でＲＳ復号エラーを検出した場合には、蓄積部３にＲＳエラー信号Ｓｅを送信し、制御部４に対してエラー通知を行う。
【００４７】
システム制御部４は、デジタル放送受信部１からエラー通知を受信すると、予めユーザによって設定された修復可否に基づいて各部に指示をする。ユーザが修復をすると設定している場合は、図４（ｋ）〜（ｎ）に示すような動作処理を行う。この動作処理は、実施形態１と同様である。一方、ユーザが修復をしないと設定している場合は、システム制御部４は各部に指示せず、ＲＳ復号エラー信号を有するＴＳパケット以外のＴＳパケットを蓄積装置３２に記録する。すなわち、システム制御部４は、ユーザから予め入力された記録予約リストに付随されている修復可否設定に従って、受信エラーしたデータの修正可否を決定する。また、システム制御部４は、ユーザから予め設定された大まかな番組のジャンルに対する修復可否の設定に従って、受信エラーしたデータの修復可否を決定する。
【００４８】
以上のことから、ユーザが予め修復可否の指示をしておくことによって、番組の受信エラーによるＲＳ復号エラーが生じたときに、自動的に復号することができなかったＴＳパケットに対応するＴＳパケットを通信部２を介してコンテンツサーバからダウンロードすることによって、番組コンテンツの修復が可能となり、ユーザが常時受信機の前で待機する必要はない。また、ＲＳ復号エラーが高頻度で生じる場合において、ユーザはＲＳ復号エラーが生じるたびにデジタル放送記録再生装置から番組コンテンツの修復可否を問われることがないため、煩わしさも解消することができる。さらに、システム制御部４は、ユーザからの指示待ちをする必要がないため、例えば番組コンテンツの記録が完了したときに自動的にデジタル放送記録再生装置の電源をオフにすることが可能となり、デジタル放送記録再生装置の消費電力を低減することができる。
【００４９】
なお、本発明の実施形態で説明したデジタル放送記録再生装置は、特に移動体で放送波を受信する場合において好適であるが、例えば放送波を安定して受信することが困難なエリアにおいて放送波を受信する場合でも好適である。
【図面の簡単な説明】
【００５０】
【図１】本発明の実施形態によるデジタル放送記録再生装置の構成を示すブロック図である。
【図２】本発明の実施形態１による蓄積部における記録再生時のタイミングチャートである。
【図３】本発明の実施形態１によるデジタル放送記録再生装置の動作を示す図である。
【図４】本発明の実施形態２によるデジタル放送記録再生装置の動作を示す図である。
【符号の説明】
【００５１】
１  デジタル放送受信部、２  通信部、３  蓄積部、４  システム制御部、５  表示装置、６  音声出力装置、１１  アンテナ入力端子、１２  復調部、１３  分離部、１４  映像復号部、１５  音声復号部、２１  ネットワーク端子、２２  変復調部、３１  データ変換部、３２  蓄積装置。
【図１】
2009246608.tif 000003
【図２】
2009246608.tif 000004
【図３】
2009246608.tif 000005
【図４】
2009246608.tif 000006